(57)【要約】【課題】保留にされ保留音楽を聴いていた発呼者が、相手方が言った最初のわずかな言葉を聞き逃すという状況を軽減するまたは取り除く。【解決方法】第二者によって第一者に提供される、第一者と第二者との間の電話接続における電話機の保留音楽を処理する方法は、保留音楽を検出し、そして保留音楽が検出される間、第一者に対し、第二者から独立したソースからのコンテンツを提供することを含む。第二者が発信者である直近に受信されたオーディオ情報の長さは、連続的に記憶される。もはや保留音楽が検出されなくなった時、音声情報は、直近に受信されたオーディオ情報の長さから読み出され、第一者に、第二者から独立したソースからのコンテンツを提供することが停止され、読み出された音声情報は、第一者に再生され、保留音楽の検出のために要求される時間期間に対応する時間オフセットが存在する。【選択図】図１７
2015220755.tif 000002
【特許請求の範囲】
【請求項１】
第二者によって第一者に提供される、前記第一者と前記第二者との間の電話接続における電話機の保留音楽を処理する方法であって、
−保留音楽を検出するステップと、
−保留音楽が検出される間、前記第一者に対し、前記第二者から独立したソースからのコンテンツを提供するステップと、
を含み、
前記方法は、
−前記第二者が発信者である直近に受信されたオーディオ情報の長さを連続的に記憶するステップをさらに含み、
前記方法は、もはや保留音楽が検出されなくなった時、
−前記直近に受信されたオーディオ情報の前記記憶された長さから音声情報を読み出すステップと、
−前記第一者に対し、前記第二者とは無関係であるソースからのコンテンツの提供を停止するステップと
−前記読み出された音声情報を前記第一者に再生するステップであって、保留音楽の検出のために要求される時間期間に対応する時間オフセットが存在する、再生するステップと、
を含む、前記方法。
【請求項２】
再生は、前記再生された読み出された音声情報と前記第二者から現在受信されているオーディオ情報とが互いに対応するまで、前記読み出された音声情報を元の速度よりもより速い速度で再生することを含む、請求項１に記載の方法。
【請求項３】
より速い速度における再生は、前記再生された音声情報のピッチを調整することを含む、請求項２に記載の方法。
【請求項４】
再生は、前記再生された読み出された音声情報と前記第二者から現在受信されているオーディオ情報とが互いに対応するまで、前記読み出された音声情報の無音の期間を検出すること、および前記無音の期間を短縮またはスキップすることを含む、請求項１乃至３のいずれか１項に記載の方法。
【請求項５】
−前記保留音楽に散在する音声アナウンスメントを特定するステップと、
−第１のタイプの音声アナウンスメントのリストから選択された音声アナウンスメントを無視するステップと、
をさらに含む、請求項１に記載の方法。
【請求項６】
−前記保留音楽内の音声アナウンスメントを特定するステップと、
−第２のタイプの音声アナウンスメントのリストから選択された音声アナウンスメントに対し、前記取り出された音声情報をより速い速度で再生することを抑止するステップと、
をさらに含む、請求項２又は３に記載の方法。
【請求項７】
−前記保留音楽内の音声アナウンスメントを特定するステップと、
−第２のタイプの音声アナウンスメントのリストから選択された音声アナウンスメントに対する無音の期間の短縮またはスキップを抑止するステップと、をさらに含む、請求項４に記載の方法。
【請求項８】
前記第２のタイプの音声アナウンスメントのリストから選択された音声アナウンスメントを特定した後の無音の期間を検出した直後のみ、前記第二者から前記第一者へのオーディオ接続を可能にすることをさらに含む、請求項６又は７に記載の方法。
【請求項９】
前記第１又は第２のタイプの音声アナウンスメントの前記リストを更新するためのユーザ入力を受信することをさらに含む、請求項５、６、７又は８に記載の方法。
【請求項１０】
音声アナウンスメントを特定することは、前記第１または第２のタイプの音声アナウンスメントに付加されるオーディオ透かしを検出することを含む、請求項５、６、７または８のうちの１つに記載の方法。
【請求項１１】
保留音楽の検出は、前記保留音楽に付加されるオーディオ透かしを検出することを含む、請求項１に記載の方法。
【請求項１２】
電話番号の一致リストに登録されている第一者または第二者の電話番号に応じて前記透かしを選択的に付加することをさらに含む、請求項１０又は１１に記載の方法。
【請求項１３】
保留音楽の検出は、前記第一者と第二者との間の電話接続がルートされるネットワークに配置された検出器において遂行され、前記コンテンツは、前記第一者の制御下で提供され、
−前記第一者において、前記コンテンツの提供を制御するために、保留音楽の存在を示す前記検出器が発生する信号又は繋がった呼を受信するステップをさらに含む、請求項１乃至１２のうちのいずれか１項に記載の方法。
【請求項１４】
前記第二者とは無関係であるソースからのコンテンツを提供する間、前記第二者によって提供された前記保留音楽を減衰または消音することをさらに含む、請求項１乃至１３のいずれか１項に記載の方法。
【請求項１５】
電話機の音声チャネル信号を受信するための第１の入力（１７３０）、コントローラ（１７３６）、前記第１の入力を通じて受信された前記信号から独立したコンテンツを提供するためのコンテンツソース（１７４６）および前記第１の入力からの信号または前記コンテンツソースを選択するまたは結合するための結合器（１７４８）を含む電話機（１７００）であって、前記電話機は、直近に受信された音声チャネル信号の長さを記憶するメモリと、保留音楽検出器（１７３２）をさらに含み、前記第１の入力においてもはや保留音楽が受信されなくなったという検出に応答して、前記メモリに記憶された直近に受信された音声チャネル信号の長さからのスピーチに対応するオーディオ信号を再生するように適応される、請求項１乃至１４のいずれか１項に記載の電話機。
【発明の詳細な説明】
【技術分野】
【０００１】
本発明は、通信に関し、より具体的には、電話呼を保留にする際のオーディオコンテンツ処理に関する。
【背景技術】
【０００２】
一般的な電話操作機能は、ユーザを「繋ぐ」または「保留」状態にすることである。第１のユーザが第２のユーザを保留にすると、第１のユーザのハンドセットの接続が切断されても接続は維持される。これによって第１のユーザが別の呼を受け取るまたはハンドセットから離れることを可能にする。繋ぐ機能または状態が可能になると、第２のユーザは、ニュース放送または事前記録されたメッセージなどの、受信信号パスに対する別の信号ソースに接続される可能性がある。保留接続されたよく見られる信号ソースは、事前記録であるか、または接続が保留状態である間、選曲がレシーバに送信される、「保留音楽」と呼ばれる音楽放送である。選曲は、保留状態が終了するまで第２のユーザのハンドセットレシーバで再生される。
【０００３】
第２のユーザは典型的には、保留音楽を制御する手段を持たない。一部のタイプの保留音楽は、うるさいまたは不愉快である場合もある。従って、保留音楽を第２のユーザによって選択された他のコンテンツに置換して、第２のユーザ側の接続において提供されることが一般に望ましい。この要望が、電話の接続中に保留音楽を置換するようにさせるさまざまな方法および装置の開発につながった。
【０００４】
例えば、特許文献１では、保留状態の間、ユーザがハンドセットレシーバにおいてメディアの再生を行うためにユーザ１または複数のソースを選択できるようにさせ、その後保留状態が終了すると信号が送られる、無線電話のハンドセットが開示されている。保留状態の検出は、保留音楽を検出することによってまたは保留シグナリングを受信することによって行われる。メディアソースは、ユーザのハンドセット内に配置されるか、またはハンドセットとネットワークとの間で確立される別個の接続を介してアクセスされる。
【０００５】
同様に、特許文献２では、電話機のレシーバにおいて保留音楽をローカルソースからのオーディオコンテンツに置換することが開示されている。保留音楽が検出されている間、ローカルオーディオコンテンツは、ユーザに流される。
【０００６】
より一般的には、特許文献３では、ユーザが電話の接続を保留にされている間、さまざまな種類のユーザ選択可能データを再生することが開示されている。
【先行技術文献】
【特許文献】
【０００７】
【特許文献１】国際公開第２００９／０７３０３５号
【特許文献２】米国特許第７１３６４７９号明細書
【特許文献３】米国特許第８４１２１６４号明細書
【非特許文献】
【０００８】
【非特許文献１】Schreiner and Slaney in “Construction and evaluation of a robust multifeature Speech/Music discriminator” ,Interval Research Cor., Palo Alto CA
【非特許文献２】Seyerlehner, Pohle, Schedl and Widmer in “Automatic Music Detection in Television Productions”, 2007, Kepler University .Austria
【発明の概要】
【発明が解決しようとする課題】
【０００９】
保留音楽の検出は、かなり時間がかかる。これは、保留条件がキャンセルされた直後に保留音楽が終了された場合、特に好ましくない。例えば、発呼者が保留にされている間に彼または彼女自身のコンテンツを流す時、保留条件のキャンセルは、発呼者自身のコンテンツの再生が停止される前および通常の双方向音声通信が確立される前に気付かれるまたは判定されなければならない。従って、これまで保留にされていて彼または彼女自身の音楽を聴いていた発呼者は、相手方が言った最初のわずかな言葉を聞き逃す恐れがある。
【００１０】
本方法は、上述した好ましくない状況を軽減するまたは取り除く。
【課題を解決するための手段】
【００１１】
本方法の第１の態様において、電話の接続中に第二者によって第一者に提供される電話機の保留音楽が検出される。保留音楽の検出は、保留にされる相手である、第一者側の電話デバイスにおいて遂行されるか、または第一者と第二者との間のネットワークに配置され、接続にアクセスでき、且つ接続をある程度制御する、検出器において遂行される。検出される間、保留音楽は、第一者の制御下で変更または強化されるか、または第一者によって選択されたコンテンツに置換される。保留音楽の変更は、減衰および消音を含む。保留音楽の強化は、非オーディオコンテンツを保留音楽に付加することによって、保留音楽が減衰、即ち、音量を下げるか、または完全に消音して再生されることを含む。
【００１２】
例えば、ユーザは、保留にされている間、写真を表示するスライドショーを見る可能性がある。スライドショーの間、保留音楽は、音量を下げて再生され、そして保留音楽に散在するアナウンスメントのすべてまたは選択部分は、音量を上げてまたは元の音量でも再生され得る。一般的に、音量変更におけるフェージングは、クリックノイズを防ぐ。
【００１３】
保留音楽の置換は、無音または静電気ノイズを含む、任意のオーディオまたはオーディオビジュアルコンテンツとの置換を含む。非オーディオコンテンツは、スライドショー、フォトショー、テキスト、及びウェブカムビデオなどを含む。強化または置換に使用されるコンテンツは、第一者の機器の能力に応じて異なる。保留音楽を置換または強化するコンテンツは、第二者とは無関係であるソースから提供される。
【００１４】
保留音楽の検出は、連続的に実施される。第二者が発信者である直近に受信されたオーディオ情報の長さは、連続的に記憶される。即ち、第一者に向けられた、数秒に値する着信オーディオ情報は、通常、現在着信中のオーディオ情報および所定の先行する時間期間のオーディオ情報を含む、フローティングウィンドウに記憶される。記憶される着信オーディオの長さ、即ち、フローティングウィンドウの長さは、保留音楽を検出するために要求される時間に依存する。前述のように、保留音楽の検出は、例えば、オーディオ信号解析を使用する場合、オーディオ信号が、アルゴリズムに応じて、一定の時間期間にわたって解析されなければならない理由により、ある程度時間がかかる。保留音楽が検出された先行期間の後、もう保留音楽が検出されなくなった時、音声情報のみが、直近に受信されたオーディオ情報の記憶された長さから読み出される。即ち、記憶された時間ウィンドウにも提示できる保留音楽は、無視されて読み出されない。保留音楽の検出のためのオーディオ信号解析は、例えば、非特許文献１によって、または非特許文献２によって提案されたような音楽／スピーチ認識によって周知である、従来のアルゴリズムを使用できる。
【００１５】
一般に、保留音楽の検出は、異なる方法で行うことができる。オーディオ信号解析を使用する１つの方法は、すでに前述した。別の方法は、透かしを保留音楽に付加し、任意には、音声アナウンスメントにも付加することを含む。さらに別の方法は、ＦＭラジオで使用されるＲＤＳ（無線データシステム）トラフィックアナウンスメントと同様のインバンド(in-band)か、専用制御チャネルのいずれかを通じて、信号、例えばフラグを送信することを含む。それぞれの場合において、検出器は、第一者のデバイスまたはネットワークのいずれかにおいて提供されて、第一者のデバイスと通信する。検出に必要とされる時間は、このような異なる方法によって変わり得る。
【００１６】
接続に適用される保留音楽の検出のタイプ、即ち、オーディオ信号解析、透かし、または送信されるフラグは、ダイアルされる電話番号に応じてプリセットできる。このような情報は、電話番号をダイアルする時にアクセスされるデータベースに記憶できる。データベースは、自動的に、例えば、インターネットを通じてまたは学習アルゴリズムを介して更新することができる。例えば、ひとたび電話番号がダイアルされて、保留音楽が受信されると、ユーザは、好適には、透かしおよびフラグから開始される、それぞれの検出タイプを試みる認識プロセスを手動でトリガすることができる。ひとたび特定のタイプが検出されると、その情報は、今後の参照用にデータベースに記憶される。ユーザインタラクションはもちろん、恒久的に稼働するオーディオ信号解析に置き換えられて、保留音楽の検出を試みることができる。ひとたび保留音楽がオーディオ信号解析によって検出されると、絞り込むための他の方法を試みることができ、そして解析に基づいてデータベースを更新することができる。絞り込みにおいて、データベースは、電話番号と関連付けられた典型的なタイプの音楽、例えば、わずかな音を使用して電気的に発生させた音楽か、または「実際の」音楽記録を記憶する。この情報は、情報に応じて検出器にプリセットすることによってより速い認識を実現するのに役立つことができる。
【００１７】
保留音楽がこれ以上検出されない場合、保留音楽の変更および強化、または置換が停止され、そして読み出された音声情報が第一者に再生される。音声情報の読み出しと変更および強化、または置換の停止とのシーケンスは、入れ替え可能である。保留音楽を検出するのに必要な時間、または保留音楽の不在のために、時間オフセットを第一者と第二者との間の通信に導入できる。
【００１８】
本方法の実施形態において、検出によって生じた時間オフセットは、保留音楽がこれ以上検出されなくなった後、排除される。第１のキャッチアップモードと呼ばれ得るモードにおいて、直近に受信されたオーディオ情報の記憶された長さから読み出された音声情報は、第二者が発信者である直近に受信されたオーディオ情報の記憶された長さから再生された音声情報が、第二者から現在受信されているオーディオ情報に対応するまで元の速度よりも速い速度で再生される。この瞬間、保留音楽の不在を検出するのに必要な時間によって導入されたオフセットがキャンセルされ、そして第一者と第二者との間の通信が同期される。この時点において第二者から受信された情報の記録を停止できる。
【００１９】
第１のキャッチアップモードの展開において、直近に受信されたオーディオ情報の記憶された長さから読み出された音声情報を元の速度よりも速い速度でプレーバックすることによって導入される高いピッチは、対応するオーディオ信号処理によって下方に調節される。
【００２０】
第２のキャッチアップモードと呼ばれ得るモードにおいて、無音の期間は、直近に受信されたオーディオ情報の記憶された長さから読み出された音声情報によって検出される。再生時の無音の期間は、再生された読み出し音声情報と第二者から現在受信されているオーディオ情報とが互いに対応するまで短縮されるまたはスキップさえ行われる。この瞬間、保留音楽の不在を検出するのに必要な時間によって導入されたオフセットがキャンセルされ、そして第一者と第二者との間の通信が同期される。この時点において第二者から受信された情報の記録を停止できる。
【００２１】
第１および第２のキャッチアップモードを組み合わせて、第一者と第二者との間の通信の同期化をさらに高速に実現できる。
【００２２】
かなり頻繁に、音声アナウンスメントは、保留音楽に散在する。即ち、音楽に割り込む。これは、保留音楽の検出を阻害して、強化または置換されたコンテンツの再生に不要な割り込みをもたらし、特に、散在するアナウンスメントが付加的な情報または値を保留中の相手に提供しない場合に阻害される。このようなアナウンスメントは、とりわけ、「電話を切らずにお待ち下さい(please hold the line)」、「担当者にすぐにお繋ぎしますので、しばらくお待ち下さい(the service agent will be with you momentarily, thank you for your patience)」、または「電話が混み合っております。しばらくお待ち下さい(all lines are busy, please wait)」などの、一般的または標準の音声アナウンスメントを含む。このタイプのアナウンスメントは、本方法の文脈では無視される、第１のタイプの音声アナウンスメントのグループに割り当てることができる。
【００２３】
本方法の実施形態において、保留音楽に散在する音声アナウンスメントを特定することおよび第１のタイプの音声アナウンスメントのリストから選択された音声アナウンスメントを無視する、即ち、第１のタイプの音声アナウンスメントは、音声アナウンスメントが保留音楽に対応しなくても、強化されたコンテンツの再生または停止されるコンテンツの置換が生じないことをさらに含む。音声アナウンスメントは、保留音楽の検出を遂行する同じ機能ブロックを使用して特定され得る。しかしながら、機能ブロックは、別個に実装された方がよい。本方法のすべての態様において、機能検出ブロックは、汎用マイクロプロセッサで稼働するソフトウェアプログラムか、または例えば、ＡＳＩＣまたはＦＰＧＡ、またはそれらの組み合わせにおいて実装される、専用オーディオプロセッサで稼働するソフトウェアプログラムによって実装され得る。それでもなお、すべてまたは一部の機能ブロックは、専用ハードウェアによっても実装され得る。
【００２４】
本方法に関連する態様において、第２のタイプの一般的または標準の音声アナウンスメントのリストから音声アナウンスメントが特定される。これらの第２のタイプの音声アナウンスメントを無視するのではなく、このような第２のタイプの音声アナウンスメントは、第一者に、第二者から独立したソースからのコンテンツを提供することを停止するトリガを行う。さらに、これらの第２のタイプの音声アナウンスメントは、読み出された音声情報をより速い速度で再生することを抑止する。この態様による第２の音声アナウンスメントは、とりわけ、“ｙｏｕ  ｗｉｌｌ  ｎｏｗ  ｂｅ  ｐｌａｃｅｄ  ｉｎ  ｔｈｅ  ｃａｌｌ”などの音声アナウンスメントを含む。読み出された音声情報をより速い速度で再生することを抑止することは、音声アナウンスメントの意味を推測するために最初のわずかな言葉を特定するだけで十分であるという事実により可能である。上記の例において、このアナウンスメントの後、もはや電話が保留になっていないことが明白であり、そしてこれは、“ｙｏｕ  ｗｉｌｌ  ｎｏｗ”という言葉を認識することによって推測することができる。第２のタイプの音声アナウンスメントの意味が、全てのアナウンスメントが受信される前であっても明白であるので、音声認識によって導入された時間オフセットまたは遅延は、残りの言葉の音声認識をスキップすることによって排除することができる。時間オフセットまたは遅延の排除は、無用な非アナウンスメント音声情報の記録をレンダリングし、従って、第二者がしゃべり始める時間までに第一者と第二者との間の接続が確立されて準備されるので、このような無用に記録された音声情報の再生もレンダリングする。
【００２５】
先行する態様の展開において、第二者から第一者に向けたオーディオ接続は、直前に受信された第２のタイプの音声アナウンスメントの最後の無音の期間を検出した後のみ可能になる。この展開は、第１のユーザが、素早く且つ実際のアナウンスメントが完了するずっと前に認識された第２のタイプの音声アナウンスメントの残りの部分を聞かずに済むようにする。先行する態様において使用された例に戻ると、例えば、話す時に“．．．ｂｅ  ｐｌａｃｅｄ”が音声アナウンスメントの認識に十分であると見なして、ユーザが“．．．ｉｎ  ｔｈｅ  ｃａｌｌ”を聞かないようにすることができる。
【００２６】
これまでの態様およびその展開はまた、音声情報を記録することによって生成される時間オフセットまたは遅延が、より速い速度で再生されるのではなく、無音の期間を短縮またはスキップする、即ち、第２のキャッチアップモードによって排除される、本方法の態様にも適用可能である。このような無音の期間の短縮またはスキップは、第２のタイプの標準の音声アナウンスメントが素早く且つそのアナウンスメントがたとえ終了する前でも認識された場合に不要である。これまでの態様およびその展開におけるように、アナウンスメントが終わる前に認識が準備されと、音声認識によって導入された時間オフセットまたは遅延は、残りの言葉の音声認識をスキップすることによって排除される。時間オフセットまたは遅延の排除は、無用な非アナウンスメント音声情報の記録をレンダリングし、従って、第二者が話し始める時間までに第一者と第二者との間の接続が確立されて準備されるので、このような無用に記録された音声情報の再生もレンダリングする。同様に、対応する展開において、第一者と第二者との間のオーディオ接続は、無音の期間を検出した後のみ可能になる。この理由および効果は、これまでの態様の展開に対するものと同じである。
【００２７】
本方法の先行する態様において論じたような、無視される第１のタイプの音声アナウンスメントのリスト、またはより速い速度での再生を抑止するまたは無音の期間の短縮またはスキップを抑止する第２のタイプの音声アナウンスメントのリストは、ユーザによって更新することができる。これは、例えば、今後無視されるか、または今後抑制をトリガする特定のアナウンスメントを記録し、そして記録されたアナウンスメントを今後、保留音楽の検出または音声アナウンスメントの特定中にアクセスおよび参照するために記憶することによって行うことができる。
【００２８】
本方法の実施形態において、保留音楽の検出および／または音声アナウンスメントの検出は、第一者の電話デバイスにおいて遂行され、そして第二者から独立したソースからのオーディオまたはビデオコンテンツは、第一者の電話デバイスに備え付けの記憶装置から提供されるか、または第一者の電話デバイスに直接接続される。これによって、保留音楽を強化するまたは保留音楽を置換する単純な制御が可能となる。
【００２９】
上述の実施形態の変形形態において、コンテンツは、異なる接続、例えば、Ｂｌｕｅｔｏｏｔｈ（登録商標）またはＷＬＡＮ接続を通じて第一者の電話デバイスからリモートに配置されたサーバから提供される。しかしながら、音声通信および置換コンテンツは、同じ物理接続を通じて提供されるが、別個の論理接続を通じて提供されることも考えられる。これは、物理接続が音声通信、例えば、ＷＬＡＮを使用するボイスオーバーＩＰシステム、またはＵＭＴＳまたはＬＴＥなどにおいて要求されるデータレートよりも優れたデータレートを有する場合に当てはまる。
【００３０】
本方法の別の実施形態において、保留音楽の検出および／または音声アナウンスメントの検出は、第一者と第二者との間の電話接続がルートされるネットワークに配置された検出器において遂行される。さらに、強化または置換コンテンツは、第一者の電話デバイスに備え付けの記憶装置から提供される。この実施形態により、検出器は、第一者の電話デバイスにおいて強化または置換の制御ができるようにする信号を発生させ、その信号は、第一者の電話デバイスによって受信されてデバイスに応じて使用される。そのような信号は、音声チャネルのインバンド信号、例えば、ＤＴＭＦ信号、およびアウトオブバンド信号、例えば、別個の接続を通じて提供される、例えば、ＩＰ接続を通じてルートされるメッセージか、または電話システムによって広く使用されるような制御チャネルを介して提供される信号またはフラグを含む。
【００３１】
上述の実施形態の変形形態において、検出器は、第一者と第二者との間の一部の電話接続を制御する能力を有し得る。特に、検出器は、第一者の選好またはこれまでの選択により、音声チャネルを制御し、そして第一者に向けた保留音楽をネットワークに結合されたサーバから取得されたコンテンツに置換することができる。
【００３２】
上述の実施形態の展開において、第一者は、検出器によって置換されたコンテンツを、対応する信号を検出器に送信することによって制御する。これは、上記でさらに説明した方法と同じ方法において、例えば、ＤＴＭＦ信号を使用した、インバンド、またはアウトオブバンドで行うことができる。このような制御は、例えば、保留音楽を置換するコンテンツの種類を選択するのに使用できる。例えば、第一者は、音楽様式を選択できる。
【００３３】
本方法の別の態様により、保留音楽の検出および／または音声アナウンスメントの検出は、保留音楽および／または音声アナウンスメントに付加される対応するオーディオ透かしの検出を含む。このような透かしは、通常聞き取れないまたは隠れて比較的目立たず、そして高速の検出または認識を可能にして、検出によって導入されたオフセットを最小限に抑えるまたはオフセットの排除さえもできる。透かしは、一義的に識別可能であり、そして信号処理、または通信チャネルの変化および変動に対して強固である。異なる透かしが、待ち受け音楽、音声アナウンスメント、広告などに提供され得る。
【００３４】
透かしは、第一者または第二者の電話番号が電話番号の一致リスト(according list)に登録されているか否かに応じて選択的に保留音楽に付加され得る。そのようなリストは、例えば、登録された電話番号が割増料金と関連しているかどうか、またはその電話機に関連する機器が透かしをすべて検出および認識する能力があるかどうかを示すことができる。あるいは、ユーザは、透かしを検出する鍵を購入できる。これまでの例により、透かしの付加は、第二者においてまたは電話システムによって行うことができる。
【００３５】
待ち行列の発信元、即ち、第二者か、または第二者の保留音楽を広告に置換する「中間者」のように機能するネットワークプロバイダのいずれかによって、透かしを配置することができる。この態様によってさまざまなビジネスが可能となる。例えば、通話接続が有料接続であれば、保留音楽を広告に置換することによって保留に費やされた時間が無料になるか、または接続の請求総額が減る。あるいは、保留にする相手は、例えば、ＤＴＭＦ信号を使用して、透かしを保留音楽に付加し、その後保留音楽の検出および置換さらに受ける側の広告もできるようにする鍵を入力することができる。透かしを検出するこのような鍵は、ユーザによって１通話単位で購入され得るか、またはすでに透かしの代金を支払ったユーザは、彼または彼女の電話番号によって特定され得る。ネットワークプロバイダまたは第二者が待ち受け人物のプロファイルを有することによって、個人向けコンテンツを送信できるようにすることも考えられる。例えば、ジャズ音楽の愛好家は、保留の間にジャズ音楽を流せる。
【００３６】
本方法の別の態様により、保留にされて且つ強化または置換コンテンツを消費していた相手は、その相手方が保留状態をキャンセルする場合、すぐには会話にスイッチバックしたくない。保留音楽の終わりが検出されると、検出器は、第一者がすぐにまたはしばらく経ってから応対できることを示す音声メッセージを第二者に出す。このメッセージは、第一者が電話を切ったという印象を避ける。この場合、保留音楽の検出によって生じた遅延は、それと無関係であり、そして容易に排除することができる：第二者がメッセージを聞く時、その人物は、音楽を聴きながら話を持ち受け、従ってすべての遅延は、例えば、これまでに説明した方法のうちの１つを使用して、容易にゼロに設定することができる。今度は第一者が、コンテンツの消費を静かに終了させることができる。
【００３７】
上述した態様、実施形態および変形形態を組み合わせることができることが当業者には容易に明らかであろう。例えば、保留音楽および／または音声アナウンスメントの検出に透かしを使用することは、第１および／または第２のキャッチアップモードが組み込まれた実施形態のいずれにも実装することができる。同様に、保留音楽および／または音声アナウンスメントの検出に透かしを使用する場合、検出は、第一者の電話デバイスまたはネットワークに配置された検出器において遂行することができる。それらの態様、実施形態、および変形形態の他の組み合わせは、容易に考えることができるので、詳細に論じない。
【００３８】
本方法は、多くのタイプの通信システム、例えば、従来の電話システム、セルラー電話システム、ＶＯＩＰ電話システム、ビデオ会議システムおよび無線通信システムに組み込むことができる。
【図面の簡単な説明】
【００３９】
以下において、本方法の例示的な実施形態を添付図面を参照して説明する。
【図１】先行技術の保留音楽の検出およびコンテンツ置換のタイミング図である。
【図２】本方法の第１の態様による保留音楽の検出およびコンテンツ置換のタイミング図である。
【図３】本方法の第２の態様による保留音楽の検出およびコンテンツ置換のタイミング図である。
【図４】本方法の第３の態様による保留音楽の検出およびコンテンツ置換のタイミング図である。
【図５】本方法の第４の態様による保留音楽の検出および強化のタイミング図である。
【図６】本方法の第５の態様による保留音楽の検出および強化のタイミング図である。
【図７】本方法の第６の態様による保留音楽の検出およびコンテンツ置換のタイミング図である。
【図８】本方法の第７の態様による保留音楽の検出およびコンテンツ置換のタイミング図である。
【図９】本方法の第８の態様による保留音楽の検出およびコンテンツ置換のタイミング図である。
【図１０】本方法の第９の態様による保留音楽の検出およびコンテンツ置換のタイミング図である。
【図１１】本方法の第１の態様による保留音楽の検出およびコンテンツ置換のフロー図である。
【図１２】本方法の第２の態様による保留音楽の検出およびコンテンツ置換のフロー図である。
【図１３】本方法の第３の態様による保留音楽の検出およびコンテンツ置換のフロー図である。
【図１４】本方法の第６の態様による保留音楽の検出およびコンテンツ置換のフロー図である。
【図１５】本方法の第８の態様による保留音楽の検出およびコンテンツ置換のフロー図である。
【図１６】本方法の第９の態様による保留音楽の検出およびコンテンツ置換のフロー図である。
【図１７】本方法による第一者のデバイスの例示的なブロック図である。
【発明を実施するための形態】
【００４０】
図１は、先行技術の保留音楽の検出および保留音楽を他のコンテンツに置換するタイミング図を示している。図中、Ｘ軸は、時間を表し、最上部の行は、これまで第二者によって保留にされていた第一者によって受信された時のオーディオ信号を表す。中間の行は、保留音楽を検出する検出器からの出力を表す。最下部の行は、実際に第一者に出力される信号を表す。図の左側から開始され、第二者は、水平の細線模様で示された、保留音楽を送信する。検出器の出力に従って、保留音楽は、他のコンテンツ、例えば、薄い点模様で示された、第一者自身のコンテンツに置換される。ｔ１において濃い点模様で示された、音声アナウンスメントは、保留音楽に割り込む。ｔ２において保留音楽が終わったことを確実に認識するために一定の時間期間を要求する、検出器は、今音声信号が受信されたことに気付き、そして第二者から来ている信号を第一者自身のコンテンツに置換するのを停止する。今度は第一者が音声アナウンスメントの残りの部分を聞く。しかしながら、第一者は、時間期間ｔ２−ｔ１に対応する、即ち、検出遅延に対応する音声アナウンスメントの部分を聞き逃す。ｔ３において音声アナウンスメントが終わった時、保留音楽が継続する。第一者は、保留音楽をｔ４までにおいて聞き、検出遅延が終わった後、保留音楽は、再度第一者自身のコンテンツに置換される。保留音楽が終わり、そして第二者が話し始める時、細格子模様で示されたｔ５において同じことが起きる。第一者は、検出器が、保留音楽が終わったことを認識し、そして第二者から来ている信号の置換を停止するｔ６までにおいて、言われたことを聞き逃す。
【００４１】
図２は、本方法の第１の態様による保留音楽の検出およびコンテンツ置換のタイミング図を示している。行および細区分(hashing)は、図１に対応する。図１とは異なり、第二者から受信された信号は、記録される。図１と同様に、ｔ１において音声アナウンスメントが受信される時、音楽検出は、この非音楽信号を認識するためにある程度の時間が必要である。ｔ２において、第一者自身のコンテンツの再生が停止され、そして記録からの非音楽信号、即ち、音声アナウンスメントが第一者に再生される。その間において第一者によって受信された音声アナウンスメントは、ｔ３において終わる。保留音楽検出器は、保留音楽を検出し、そして記録された音声アナウンスメントの再生が終わった時のｔ４において、保留音楽を第一者自身のコンテンツに置換する。本特許明細者において説明されるこれと他のすべての実施形態において、音声アナウンスメントの再生が終わる時の時間は、例えば、保留音楽の検出に要求される既知または推定の時間によって、または記録に対して音声検出を遂行することによって判定することができる。音声アナウンスメントが記録されるので、検出は、実時間よりも速い速度で遂行することができる。ｔ５において保留音楽が終わり、ｔ６において検出器は、この事実を認識した。保留音楽を第一者自身のコンテンツに置換することが停止され、そして記録からの非音楽信号、即ち、第二者が言ったことは、第一者に再生される。従って、第一者は、第二者が言ったことを一切聞き逃さない。認識のために時間オフセットが残るが、会話中に第一者および第二者によって解決されなければならない。
【００４２】
図３は、本方法の第２の態様による保留音楽の検出およびコンテンツ置換のタイミング図を示している。初期の状況は、図２に関して説明した状況と同じである。この態様は、二者間の会話がちょうど始まった時のｔ６において存在する時間オフセットに対処する。時間オフセットを排除するために、記録からの非音楽信号は、その信号が記録された速度よりも速い速度でプレーバックまたは再生される。これは、交差線の囲みで示され、第二者から受信された会話が着信信号よりも短く描かれ、または圧縮されていることを表す。ｔ７において、残った時間オフセットは、すでに削減され、そしてｔ８において完全に排除された。保留音楽の検出に要求される時間、または保留音楽の不在、または第二者から入って来る会話の長さに応じて、遅延は、第１の無音の期間の後すでに排除されていることになる。
【００４３】
図４は、本方法の第３の態様による保留音楽の検出およびコンテンツ置換のタイミング図を示している。初期の状況は、図２に関して説明した状況と同じである。再度、この態様は、二者間の会話がちょうど始まった時のｔ６において存在する時間オフセットに対処する。時間オフセットを排除するために、記録された非音楽信号の無音の期間は、短縮またはスキップされ、無音の期間は、最上部の行の無音の期間と比較すると最下部の行においてより短いことが示されている。ｔ７において、残った時間オフセットは、すでに削減され、そしてｔ８において完全に排除された。オフセットが完全に削除される時の時間は、無音の期間の持続時間および頻度に依存する。
【００４４】
図５は、本方法の第４の態様による保留音楽の検出および強化のタイミング図を示している。保留音楽の検出とオフセットのキャッチアップのシーケンスは、図３または図４に関して論じたものと同じである。しかしながら、保留音楽を置換する代わりに、本方法のこの態様において、保留音楽は、減衰され、そして第一者側の非オーディオコンテンツによって補完される。さらに、図５に示したこの態様のこの例示的な実施形態において、音声アナウンスメントは、例えば、検出機構が、音声アナウンスメントが第一者にとって有益な情報を含まないことを明らかにしたため、ｔ２とｔ３との間で減衰された音量のままである。会話がｔ６において再度始まった時、記録からの非音楽信号は、通常の音量で再生される。
【００４５】
図６は、本方法の第５の態様による保留音楽の検出および強化のタイミング図を示している。検出と強化のシーケンスは、図５に関して説明したものと非常に似ている。しかしながら、本方法のこの態様において、ｔ２とｔ３との間の音声アナウンスメントは、保留音楽よりも少なく減衰されるか、またはまったく減衰されず、濃い点模様の囲みが保留音楽を表す囲みよりも高くなっていることが示されている。これは、適切な音声認識技術を使用して、保留音楽でない任意の信号に対して行うか、または第一者に有益な情報を運ぶ音声メッセージに対して独占的に行うことができる。
【００４６】
図７は、本方法の第６の態様による保留音楽の検出およびコンテンツ置換のタイミング図を示している。図２と同様に、第二者から受信された信号が記録される。図２と同様に、音声アナウンスメントがｔ１において受信される時、音楽検出は、このアナウンスメントを非音楽信号と認識するためにある程度の時間が必要である。ｔ２において音楽検出は、保留音楽が存在しないことを認識する。しかしながら、作動した音声認識は、音声アナウンスメントが第１の標準タイプ、例えば、第一者に電話を切らずに待つように伝える音声アナウンスメントであり、新しい有益な情報を第一者に一切提供しないことを認識する。従って、その音声アナウンスメントは、以前の保留音楽と同様に、第一者自身のコンテンツに置換される。図の残りの部分は、図２から図６までの１または複数において説明されており、これ以上は説明されない。
【００４７】
図８は、本方法の第７の態様による保留音楽の検出およびコンテンツ置換のタイミング図を示している。最初に、保留音楽が第一者自身のコンテンツに置換される。ｔ９において、電話がすぐに繋がることを示す、第２の標準タイプの音声アナウンスメントが受信される。ｔ１０においてその音声アナウンスメントが認識され、そして保留音楽を第一者自身のコンテンツに置換することが停止される。第２のタイプの音声アナウンスメントの意味をそのアナウンスメントのほんの一部に対して音声認識を遂行した後に推測することができるので、受信信号への切り替えは、素早く、たとえすべての音声アナウンスメントが終わる前でも行うことができる。従って、第一者は、音声アナウンスメントの残りの部分を聞くことができる。しかしながら、保留音楽認識によって生じたオフセットが存在せず、従ってひとたび会話が始まると、キャッチアップする必要がない。
【００４８】
図９は、本方法の第８の態様による保留音楽の検出およびコンテンツ置換のタイミング図を示している。初期の状況は、図８の状況と同じである。しかしながら、図８に示すような、ｔ１０における受信信号への切り替えではなく、切り替えは、無音の期間が検出された時のｔ１１においてのみ起こることによって、音声アナウンスメントが終わり、且つ会話がすぐに開始されることを推測させることができる。
【００４９】
図１０は、本方法の第９の態様による保留音楽の検出およびコンテンツ置換のタイミング図を示している。本方法のこの態様により、保留音楽は、上記の実施形態および態様のうちの１または複数により第一者側で置換される。保留音楽の終わりが検出されると、第一者は、彼または彼女自身のコンテンツの消費を終わらせることを望む。従って、ｔ６において保留音楽が検出された直後に、第一者は、第一者がすぐに応対できることを示す音声メッセージを第二者に出す。ｔ１２において第一者自身のコンテンツの消費が終わった後、第一者は、従来の方法で会話に加わる。
【００５０】
図１１は、本方法の第１の態様による保留音楽の検出およびコンテンツ置換のフロー図を示している。ステップ１１０２において受信信号が記録される。ステップ１１０４において受信信号に対して保留音楽の検出が遂行される。保留音楽が検出されれば、ステップ１１０６のｙｅｓに分岐されて、ステップ１１０８において第一者自身のコンテンツが再生され、保留音楽の置換または強化が行われる。もはや保留音楽が検出されなくなった時、ステップ１１０６のｎｏに分岐されて、ステップ１１１２において第一者自身のコンテンツの再生または置換が停止され、そしてステップ１１１４において、例えば、電話回線で第二者が言った、非音楽コンテンツのみが記録から再生される。
【００５１】
図１２は、本方法の第２の態様による保留音楽の検出およびコンテンツ置換のフロー図を示している。ステップ１２０２からステップ１２１２は、図１のステップ１１０２からステップ１１１４に対応する。図１のステップ１１１４と同様に、ステップ１２１４において非音楽コンテンツのみが記録から再生されるが、本方法のこの態様において、その再生は、保留音楽の検出によって導入された遅延をキャッチアップするために、元の速度よりも速い速度である。より速い速度における再生は、現在受信されている信号と記録から再生された信号とが同期されない間に行われ、ステップ１２１６から否定に分岐されている。ひとたび現在受信されている信号と記録から再生された信号とが同期すると、ステップ１２１６のｙｅｓに分岐されて、ステップ１２１８において現在受信されている信号のこれ以上の記録が停止され、そして会話が従来の方法で継続される。
【００５２】
図１３は、本方法の第３の態様による保留音楽の検出およびコンテンツ置換のフロー図を示している。ステップ１３０２からステップ１３１２は、図１のステップ１１０２からステップ１１１４に対応する。図１のステップ１１１４と同様に、ステップ１３１４において非音楽コンテンツのみが記録から再生されるが、本方法のこの態様において、その再生は、記録された非音楽コンテンツの無音の期間における短縮またはスキップを含む。無音の期間の短縮またはスキップの再生は、現在受信されている信号と記録から再生された信号とが同期しない間に行われ、ステップ１３１６のｎｏに分岐されている。ひとたび現在受信されている信号と記録から再生された信号とが同期すると、ステップ１３１６のｙｅｓに分岐されて、ステップ１３１８において現在受信されている信号のこれ以上の記録が停止され、そして会話が従来の方法で継続される。
【００５３】
図１４は、本方法の第６の態様による保留音楽の検出およびコンテンツ置換のフロー図を示している。ステップ１４０２からステップ１４０８は、図１のステップ１１０２からステップ１１０８に対応する。保留音楽がまったく検出されない場合、ステップ１４０６のｎｏに分岐されて、ステップ１４０９において受信信号の第１のタイプの音声アナウンスメントを検出する。そのような第１のタイプの音声アナウンスメントが検出された場合、ステップ１４０９のｙｅｓに分岐されて、ステップ１４０８において保留音楽は、第一者自身のコンテンツに置換され、そしてステップ１４０４において保留音楽の検出が継続される。第１のタイプの音声アナウンスメントがまったく検出されない場合、ステップ１４０９のｎｏに分岐されて、ステップ１４１２において第一者自身のコンテンツの再生または強化が停止され、そしてステップ１４１４において、例えば、電話回線で第二者が言った、非音楽コンテンツのみが記録から再生される。非音楽コンテンツの再生は、図１２または図１３で説明した任意の方法において、またはそれらの組み合わせにおいて行うことができることに留意されたい。
【００５４】
図１５は、本方法の第８の態様による保留音楽の検出およびコンテンツ置換のフロー図を示している。ステップ１５０２からステップ１５０８は、図１のステップ１１０２からステップ１１０８に対応する。保留音楽がまったく検出されない場合、ステップ１５０６のｎｏに分岐されて、ステップ１５１０において受信信号の第２のタイプの音声アナウンスメントを検出する。第２のタイプの音声アナウンスメントがまったく検出されない場合、ステップ１５１０のｎｏに分岐されて、ステップ１５１２において第一者自身のコンテンツの置換または強化が停止され、そしてステップ１５１４において、例えば、電話回線で第二者が言った、非音楽コンテンツのみが記録から再生される。非音楽コンテンツの再生は、図１２または図１３で説明した任意の方法において、またはそれらの組み合わせにおいて行うことができることに留意されたい。より速い速度における再生または無音の期間の短縮またはスキップを伴う再生は、現在受信されている信号と記録から再生された信号とが同期しない間に行われ、ステップ１５１６のｎｏに分岐されている。ひとたび現在受信されている信号と記録から再生された信号とが同期すると、ステップ１５１６のｙｅｓに分岐されて、ステップ１５１８において現在受信されている信号のこれ以上の記録が停止され、そして会話が従来の方法で継続される。そのような第２のタイプの音声アナウンスメントが検出された場合、ステップ１５１０のｙｅｓに分岐され、ステップ１５２２において現在受信されている信号の無音が検出され、ステップ１５２４のｎｏに分岐されている。現在受信されている信号の無音が検出された時、ステップ１５２４のｙｅｓに分岐されて、ステップ１５２６において第一者自身のコンテンツの再生が停止され、そしてステップ１５１８において受信信号の記録が停止される。その後会話が従来の方法で継続される。
【００５５】
図１６は、本方法の第９の態様による保留音楽の検出およびコンテンツ置換のフロー図を示している。ステップ１６０２からステップ１６０８は、図１のステップ１１０２からステップ１１０８に対応する。保留音楽がまったく検出されない場合、ステップ１６０６のｎｏに分岐されて、ステップ１６１１において通常の会話において、使用される同じオーディオチャネル経由で、第二者に、第一者がすぐに応対できることを第二者に知らせるメッセージを第二者に出す。ステップ１６１７において第一者は、自身のコンテンツの再生を終わらせて、そして従来の方法で会話に加わる。第二者は、第一者が会話に加わるのを待っているので、第一者側の待ち受け音楽の検出によって生じた任意の遅延は、第一者が自身のコンテンツの再生を終わらせて会話に加わる時間までにキャンセルされる。
【００５６】
図１７は、本方法による第一者のデバイス１７００の例示的なブロック図を示している。入力１７３０は、保留音楽、アナウンスメント、および会話のうちの１または複数を含む、オーディオ信号を受信する。ブロック１７３２は、上記でさらに説明した方法のうちの１つ、例えば、オーディオ信号解析によって保留音楽の検出を遂行する。ブロック１７３２は、ダイアルされる電話番号に基づいて保留音楽の検出ブロックを選択またはプライムする(prime)、ブロック１７３４と接続され、ブロック１７３４は、例えば、保留音楽の検出のためのフィルタパラメータを設定し、または保留音楽の検出のさまざまな方法、即ち、透かし、フラグ、またはオーディオ信号解析のうちの１つを選択する。ブロック１７３２および１７３４は、コントローラ１７３６に接続され、コントローラ１７３６はさらに、一般的な電話機能を提供するブロック１７３８と、ユーザインタフェースブロック１７４２にも接続されている。ユーザインタフェースブロック１７４２はさらに、ブロック１７３８にも接続されている。コントローラ１７３６は、コンテンツデータベース１７４６に接続されている、音楽プレーヤブロック１７４４を制御する。音楽プレーヤブロック１７４６は、モバイル電話機の一部とすることができるが、第一者のデバイスに結合されたコンテンツの任意のソースを含むこともできる。結合器１７４８は、コントローラ１７３６の制御下で、電話機能ブロック１７３８と音楽プレーヤブロック１７４４からそれぞれ、受信されたオーディオ信号を選択および／または結合し、そしてオーディオ信号を出力１７５２に提供する。
【図１】
2015220755.tif 000003
【図２】
2015220755.tif 000004
【図３】
2015220755.tif 000005
【図４】
2015220755.tif 000006
【図５】
2015220755.tif 000007
【図６】
2015220755.tif 000008
【図７】
2015220755.tif 000009
【図８】
2015220755.tif 000010
【図９】
2015220755.tif 000011
【図１０】
2015220755.tif 000012
【図１１】
2015220755.tif 000013
【図１２】
2015220755.tif 000014
【図１３】
2015220755.tif 000015
【図１４】
2015220755.tif 000016
【図１５】
2015220755.tif 000017
【図１６】
2015220755.tif 000018
【図１７】
2015220755.tif 000019
【外国語明細書】
2015220755000001.pdf